(57)【特許請求の範囲】
【請求項１】
グリストラップの槽部に排水を流す排水口に前記槽部の内方において取り付けられる排水アダプタであって、
前記排水口に取り付けられ前記排水口から前記排水を下方の前記槽部に案内する案内部と、
前記案内部に取り付けられ前記槽部の内方に設けられた籠部に蓋をする蓋部とを備え、
前記案内部は、
前記排水口に取り付けられる取付部と、
側方から下方に向けてＬ字状に形成されたＬ字孔部が形成された本体案内部とを備え、
前記蓋部は、
前記本体案内部に設けられ前記籠部に載置されて前記籠部を抑える本体板部と、
前記本体板部の縁部のうち前記取付部が配された側の取付縁部に対向する対向縁部に設けられ前記籠部の抑えを補強する補強縁部とを備え、
前記本体案内部の縁部は、前記取付縁部に揃えられている排水アダプタ。
【請求項２】
前記補強縁部が、前記籠部を抑える抑え位置と非抑え位置との間で移動可能に設けられている請求項１に記載の排水アダプタ。
【請求項３】
前記補強縁部が、前記籠部を抑える抑え位置と非抑え位置との間で開閉可能に設けられている請求項１または請求項２に記載の排水アダプタ。
【請求項４】
前記補強縁部を前記籠部に固定する固定部を備える請求項１から請求項３のいずれか一項に記載の排水アダプタ。
【請求項５】
前記補強縁部の長さ寸法が前記本体板部の長さ寸法より短くされており、前記本体板部の長さの中央部に前記補強縁部が設けられている請求項１から請求項４のいずれか一項に記載の排水アダプタ。
【請求項６】
前記本体板部は、矩形状に形成されており前記本体板部の長手方向が前記Ｌ字孔部の延在方向に対して交差する方向に向けられて前記本体案内部に設けられている請求項１から請求項５のいずれか一項に記載の排水アダプタ。
【請求項７】
請求項１から請求項６のいずれか一項に記載の排水アダプタと、
前記排水を貯留する槽部と、
前記槽部の内方に設けられ前記排水アダプタから排出される排水を濾過する籠部と
を備えるグリストラップ。
【請求項８】
請求項７に記載のグリストラップにおける籠部の内方に設けられて前記排水から油を吸着する油吸着材。
【請求項９】
請求項７に記載のグリストラップにおける槽部に設けられて前記排水から異物を凝集する凝集剤。
【請求項１０】
請求項７に記載のグリストラップにおける排水アダプタにより前記排出口から排出される排水を、前記籠部に設けられた油吸着材に向けて下方に案内して前記油吸着材に通し、さらに前記籠部に通して濾過することにより浄化する排水浄化方法。
【請求項１１】
請求項７に記載のグリストラップを清掃するためのグリストラップの清掃方法であって、
前記排水口および前記槽部に設置された前記排水アダプタの案内部を前記排水口から外し前記蓋部を前記籠部から外して前記排水アダプタを取り外す取り外し工程と、
前記取り外し工程において前記排水アダプタが取り外された状態で前記籠部の異物を除去する除去工程と、
前記除去工程において前記異物が除去された状態で前記案内部を前記排水口に取り付け前記蓋部によって前記籠部に蓋をして前記排水アダプタを設置する設置工程と
を含むグリストラップの清掃方法。
【発明の詳細な説明】
【技術分野】
【０００１】
本発明は、排水アダプタ、グリストラップ、油吸着材、凝集剤、排水浄化方法およびグリストラップの清掃方法に関する。
【背景技術】
【０００２】
従来、例えば厨房などにおいて、排水口から排出される排水を浄化するためのグリストラップが利用されている。このようなグリストラップとして、バスケットおよび３つの槽部を備えるものが知られている。そして、バスケット等に排水を通して濾過し、槽部に貯留してからさらに当該排水を外部に排出するようになっている。
【先行技術文献】
【特許文献】
【０００３】
【特許文献１】特開２０２１−１３９２４号公報
【発明の概要】
【発明が解決しようとする課題】
【０００４】
しかしながら、上記のようなグリストラップでは、排水からの異物が槽部に広く付着してしまい汚れや異臭などが発生してしまうという問題がある。
【０００５】
以上に鑑みて、本発明は、清潔な状態を維持することができ迅速かつ容易に清掃することができる排水アダプタ、グリストラップ、油吸着材、凝集剤、排水浄化方法およびグリストラップの清掃方法を提供することを目的とする。
【課題を解決するための手段】
【０００６】
上記課題を解決するために、本発明は以下の手段を提供する。
本発明は、グリストラップに排水を流す排水口に取り付けられる排水アダプタであって、前記排水口に取り付けられ前記排水口から前記排水を下方に案内する案内部と、前記案内部に取り付けられ前記グリストラップに設けられた籠部に蓋をする蓋部とを備える。
【発明の効果】
【０００７】
本願の一観点によれば、清潔な状態を維持することができ迅速かつ容易に清掃することができる。
【図面の簡単な説明】
【０００８】
【図１】本発明の実施形態としての排水アダプタ、グリストラップ、油吸着材および凝集剤を示す説明図である。
【図２】図１の排水アダプタを上方から見た様子を示す説明図である。
【図３】排水アダプタの補強縁部が開閉する様子を示す図であって、（Ａ）は補強縁部が抑え位置に配された様子を示す側面図、（Ｂ）は補強縁部が非抑え位置に配された様子を示す側面図である。
【図４】排水アダプタが槽部に設置された様子を示す図であって、（Ａ）は補強縁部が抑え位置に配された様子を示す説明図、（Ｂ）は補強縁部が非抑え位置に配された様子を示す説明図である。
【発明を実施するための形態】
【０００９】
（実施形態）
以下、本発明の実施形態における排水アダプタ、グリストラップ、油吸着材および凝集剤について説明する。
図１は、本発明の実施形態としてのグリストラップ１を示す説明図である。
グリストラップ１は、槽部５と、籠部６と、油吸着材７と、凝集剤８と、外方排出部９と、排水アダプタ１０とを備えている。
槽部５は、排水口Ｅから排出される排水を貯留する矩形箱状（略直方体形状）の貯留槽である。槽部５は、矩形箱状（略立方体形状）の第１の槽部５１と第２の槽部５２とを備えている。すなわち、槽部５は、第１の槽部５１と第２の槽部５２とが仕切り板部５３を介して隣接して２槽に形成されている。
【００１０】
第１の槽部５１は、排水口Ｅから排出される排水を第１に受け入れて貯留するものである。
第２の槽部５２は、第１の槽部５１に貯留された排水を流入させて貯留し、例えば下水道などの外方に排出するものである。
仕切り板部５３は、矩形板状に形成されており、第１の槽部５１と第２の槽部５２との間において高さ方向Ｈに取り外しできるようになっている。仕切り板部５３が第１の槽部５１と第２の槽部５２との間に設置されると、第１の槽部５１と第２の槽部５２との間が仕切られ、仕切り板部５３が取り外されると、第１の槽部５１と第２の槽部５２とが連通するようになっている。
また、仕切り板部５３が同様に設置されると、仕切り板部５３の下方に流通孔５４が設けられるようになっている。
流通孔５４は、第１の槽部５１から第２の槽部５２へと排水を流通させるクリアランスである。
第２の槽部５２には、外方排出部９が設けられている。
【００１１】
外方排出部９は、管状に形成されており、第２の槽部５２に貯留された排水を外方に排出するようになっている。
また、第１の槽部５１には、排水口Ｅから排出される排水を濾過する籠部６が設けられている。
籠部６は、バスケット部６１と、ネット部６２とを備えている。
バスケット部６１は、例えばステンレスなどからなり、上方が開放されて矩形箱状に形成されている。そして、バスケット部６１の側面部および底面部には、排水を濾過する複数の穴部が形成されている。また、バスケット部６１の上端には、外側に突出した矩形板状のフランジ縁部６３が設けられている。フランジ縁部６３は、バスケット部６１の上端において全周にわたって設けられている。フランジ縁部６３のうち、長手方向の両端の短辺部には、把持部６４が設けられている。この把持部６４を手で把持することによりバスケット部６１がユーザに保持されるようになっている。
ネット部６２は、樹脂からなるメッシュ状の袋体である。メッシュのサイズは、バスケット部６１の穴部よりも小さくして、例えば１ｍｍとされている。このネット部６２は、バスケット部６１の内方に設けられている。
【００１２】
油吸着材７は、排水が通されることにより当該排水から油を吸着するものである。この油吸着材７は、不図示の油吸着袋体と、この袋体の内方に設けられた本体吸着材とを備えている。油吸着袋体は、水溶性ＰＶＡなどの生分解性プラスチックからなるものである。本体吸着材は、例えばトドマツなどの植物系・木質系からなるものである。油吸着材７は、ネット部６２の内方に設けられている。
凝集剤８は、排水に含まれた粉状物等を凝集するものであり、例えば鉱物や高分子などからなっている。これら凝集剤８は、籠部６の外であって第１の槽部５１に設けられている。
【００１３】
排水アダプタ１０は、案内部１１と、蓋部１２と、固定部１３とを備えている。
案内部１１は、ステンレスからなる直方体形状の本体案内部１４と、この本体案内部１４に設けられる取付部１５とを備えている。
本体案内部１４には、１つの側壁面から底面にわたってＬ字状に貫通するＬ字孔部１６が形成されている。このＬ字孔部１６は、排水口Ｅから水平方向に排出される排水を下方に向けて排出するように排水を案内するようになっている。なお、図２に示すように、上面視してＬ字孔部１６の延びる方向が延在方向Ｆとなり、この延在方向Ｆは排水口Ｅが向けられた排水方向となる。
また、本体案内部１４の底面には、蓋部１２が設けられている。
【００１４】
蓋部１２は、ステンレスからなる矩形板状の本体板部２０と、この本体板部２０に設けられたステンレスからなる補強縁部２１とを備えている。
本体板部２０は、図２に示すように、長方形状に形成されている。本体板部２０は、籠部６の上端に設けられ籠部６の上方の開放端に蓋をして塞ぐようになっている。具体的には、本体板部２０は、フランジ縁部６３に載置されるようになっている。
本体板部２０の中央部には、円形状の貫通孔２５が設けられている。この貫通孔２５は、Ｌ字孔部１６の底面の孔と連通している。
図２において、本体板部２０の長手方向が符号Ｗで示され、短手方向が符号Ｄで示されている。本体板部２０の全周の縁部２２のうち取付部１５が配された側の縁部が取付縁部２３となる。なお、取付部１５が配された側というのは、排水アダプタ１０が設置されたときに、排水口Ｅの側に配されるということになる。また、取付縁部２３と短手方向Ｄに対向する縁部２２が対向縁部２４となる。なお、取付縁部２３に対向するとは、本体板部２０の中心点を通り長手方向Ｗに延びる中央仮想線Ｍに対して、取付縁部２３と線対称となる位置を示すものである。すなわち、排水アダプタ１０が設置されたときに、取付縁部２３は排水口Ｅの近傍に配され、対向縁部２４は排水口Ｅから短手方向Ｄに離れた位置に配される。
取付縁部２３と本体案内部１４の縁部は揃えられており、本体案内部１４の縁部が取付縁部２３に一致して設けられている。すなわち、本体案内部１４は、本体板部２０のうち短手方向Ｄに寄せられて設けられている。
【００１５】
本体板部２０の長手方向Ｗの両端部には、短手方向Ｄに矩形状に延びる切欠部２６がそれぞれ設けられている。
また、対向縁部２４には、ステンレスからなる補強縁部２１がヒンジ部２７を介して設けられている。
補強縁部２１は、本体板部２０が籠部６の上端に載置されたときに、籠部６に対する対向縁部２４の押さえを補強するものである。補強縁部２１は、矩形板状に形成されている。補強縁部２１の長手方向は、本体板部２０の長手方向Ｗに向けられ、補強縁部２１の短手方向は、本体板部２０の短手方向Ｄに向けられている。補強縁部２１の長手寸法Ｌ１は、本体板部２０の長手寸法Ｌ２よりも短くなっている。そして、補強縁部２１は、本体板部２０の長手方向Ｗの中央部に寄せて対向縁部２４に設けられている。
【００１６】
補強縁部２１は、図３（Ａ）に示すように籠部６の上端を抑える抑え位置Ａと、図３（Ｂ）に示すように籠部６の上端の抑えを開放する非抑え位置Ｂとの間で移動可能に設けられている。すなわち、補強縁部２１は、抑え位置Ａと非抑え位置Ｂとの間で一対のヒンジ部２７を介して開閉可能に対向縁部２４に設けられている。そして、補強縁部２１が、抑え位置Ａに配されると、図３（Ａ）に示すように補強縁部２１と本体板部２０とが面一になり、非抑え位置Ｂに配されると、図３（Ｂ）に示すように上方に向けられて本体板部２０に対して９０度立ち上げられるようになっている。
この補強縁部２１の上面には、固定部１３が着脱可能に設けられるようになっている。
【００１７】
固定部１３は、一対の基盤部３０と、取手部３１と、円板部３２とを備えている。
基盤部３０は、ステンレスからなり円柱状に形成されている。
取手部３１は、ステンレスの棒状部材からなりコ字状に形成されている。そして、取手部３１の両端は基盤部３０の上面中央にそれぞれ固定されている。取手部３１の高さ寸法は、対向縁部２４から本体案内部１４までの短手方向Ｄの寸法よりも短くなっており、補強縁部２１が非抑え位置Ｂに配されると、取手部３１は本体板部２０の上面に倒れるようになっている。
円板部３２は、円板状の磁石からなっており、基盤部３０の下面に固定されている。
このような構成のもと、固定部１３は、円板部３２を介して補強縁部２１の上面に着脱可能に固定されるようになっており、このように固定されると、ユーザが取手部３１を手で持って動かすことにより、補強縁部２１を本体板部２０に対して開閉させるようになっている。
【００１８】
次いで、排水アダプタ１０の使用方法、グリストラップ１による排水浄化方法およびグリストラップ１の清掃方法等について説明する。
まずは、排水アダプタ１０を排水口Ｅに設置する工程から説明する。
厨房等の所定の床板部を開けて、グリストラップ１を外方に露出させる。そして、バスケット部６１を取り外し、第１の槽部５１に凝集剤８を投入する。凝集剤８は、図１に示すように、第１の槽部５１に貯留された排水の中に沈んでいき、第１の槽部５１の底部にたまっていく。さらに、バスケット部６１の内方にネット部６２を入れ、ネット部６２の縁をフランジ縁部６３の上方に配する。そして、ネット部６２の中に油吸着材７を入れる。このときの油吸着材７は、不図示の油吸着袋体の中に本体吸着材が入れられた状態である。これら油吸着材７およびネット部６２が入れられたバスケット部６１を第１の槽部５１に取り付ける。このとき、バスケット部６１の長手方向が、排水口Ｅが向けられた排水方向と直交する方向に配置される。
【００１９】
さらに、補強縁部２１の上面に着脱可能に設けられた固定部１３の取手部３１を、ユーザが手で持って動かし、補強縁部２１を非抑え位置Ｂに配する。この状態で、排水アダプタ１０をバスケット部６１の上方に配しながら、取付部１５を排水口Ｅに取り付ける。すなわち、図４（Ｂ）に示すように、本体板部２０をバスケット部６１の上方に配すると、把持部６４が切欠部２６を貫通し本体板部２０の上面から上方に突出した状態になる。この状態から本体板部２０を排水口Ｅ側に短手方向Ｄに移動させることにより、取付部１５が排水口Ｅに取り付けられる。このとき、上面視して、本体板部２０の短手方向Ｄが排水方向に向けられ、長手方向Ｗが排水方向に直交する方向に向けられる。そして、取付縁部２３が排水口Ｅの近傍に配され、対向縁部２４が排水口Ｅから排水方向に離れた位置に配される。このとき本体案内部１４が取付縁部２３に揃えられていることから、バスケット部６１の排水口Ｅ側の長辺部が取付縁部２３によって抑えられた状態になる。
【００２０】
さらに、図４（Ａ）に示すように、取手部３１を手で持って動かして補強縁部２１を抑え位置Ａに配する。すると、補強縁部２１が、本体板部２０と面一に配されフランジ縁部６３のさらに縁を越えて配される。これにより、補強縁部２１によりフランジ縁部６３への抑えが補強される。さらに、このとき、円板部３２の磁力により、固定部１３が補強縁部２１とフランジ縁部６３とを固定する。これにより、フランジ縁部６３への抑えがさらに補強される。
このようにして、排水アダプタ１０が排水口Ｅに取り付けられる（設置工程）。
この状態から、不図示の床板部を閉めてグリストラップ１を閉じた状態にする。
【００２１】
なお、第１の槽部５１には排水が溜められていることから、籠部６内に排水が浸透し、これにより油吸着材７の油吸着袋体が溶かされて本体吸着材が露出して排水の上部に浮いた状態になる。
この状態から、排水口Ｅから排水が流れるとＬ字孔部１６が排水を水平に流入させてから下方に案内して排出する。Ｌ字孔部１６の先端口は、本体板部２０の中央部に取り付けられていることから、Ｌ字孔部１６は籠部６の中央部に排水を排出する。このとき、籠部６内の排水の上部に油吸着材７が浮いていることから、Ｌ字孔部１６から流出した排水は、油吸着材７に向かって吹きかけられる。すると、その排水が油吸着材７を通過することにより、油が吸着されていく。さらに、その排水はネット部６２の網目を通過することにより小さな異物が濾過され、バスケット部６１の穴部を通過することにより大きな異物が濾過される。
【００２２】
なお、従来は、排水口Ｅから槽部へと排水を流出させていくと槽部内の水位が上昇し槽部の上方に排水が逆流してしまい、異物が槽部に広く付着することにより、汚れや異臭などが発生してしまっていた。
排水アダプタ１０によると、排水口Ｅから第１の槽部５１に排水を流出させて第１の槽部５１内の水位が上昇しようとしても、蓋部１２が籠部６の開放端を蓋しているため、排水の逆流が防止される。このとき、排水口Ｅから離れた位置に配される対向縁部２４では、蓋部１２に対する抑えが相対的に弱くなってしまうが、補強縁部２１が抑え位置Ａに配されることにより、抑えが補強され対向縁部２４からの逆流が防止される。また、補強縁部２１が抑え位置Ａに配された状態で固定部１３によって固定されることから、対向縁部２４からの逆流しようとする負荷に対する耐力が増強されて逆流がさらに防止される。
また、取付縁部２３が排水口Ｅの近傍に配され、本体案内部１４が取付縁部２３に揃えられていることから、取付縁部２３における抑えが補強され排水の逆流がさらに防止される。
また、本体板部２０の長手方向Ｗが排水方向に直交する方向に向けられることから、
長手方向Ｗが排水方向に向けられるときよりも、排水口Ｅに対する対向縁部２４の距離が近づけられ、そのため蓋部１２が弾性変形しようとする力に対する負荷を強くすることができ、排水の逆流がさらに防止される。
このようにして、排水口Ｅから排出された排水が浄化される（浄化工程）。
【００２３】
そして、バスケット部６１から流出した排水は、流通孔５４を通って第２の槽部５２へと流通していき、外方排出部９を介して外方に排出されていく（外方排出工程）。
なお、排水口Ｅからの排水には、コーヒーの粉などのように、より小さな粉末なども含まれることがある。このような粉末は、ネット部６２およびバスケット部６１を通過して第１の槽部５１に沈んでいく場合がある。第１の槽部５１の底部には凝集剤８が溜められていることから、凝集剤８によってそれら粉末が凝集されて第１の槽部５１に溜められた排水の中をそれら粉末が浮かされていく。
【００２４】
このようにして排水を浄化していくと、異物が籠部６内に溜まっていく。そのため、以下のようにして、グリストラップ１が清掃される。
まず、所定の床板部を開けて、グリストラップ１を露出させる。そして、図４（Ｂ）に示すように、取手部３１を介して補強縁部２１を非抑え位置Ｂに配する。これにより、対向縁部２４から仕切り板部５３に対するクリアランスが大きくなる。そして、排水アダプタ１０を排水口Ｅから離れるように短手方向Ｄに移動させ排水口Ｅから外し、さらに蓋部１２を籠部６から上方に離すことにより、排水アダプタ１０を取り外す（取り外し工程）。
【００２５】
さらに、ネット部６２を油吸着材７ごとバスケット部６１から外す（除去工程）。これによって、籠部６内の異物が除去される。そして、油吸着材７を含むネット部６２を不図示の廃棄部に入れ、新たなネット部６２をバスケット部６１に装着し、ネット部６２の中に新たな油吸着材７を入れる。
そして、前述したようにして、排水アダプタ１０を排水口Ｅに取り付ける（設置工程）。
このようにして、籠部６内の異物が除去されグリストラップ１の清掃が行われる。
なお、汚れの度合いに応じて、バスケット部６１を取り外してバスケット部６１を掃除したり、凝集剤８によって浮いている粉末を除去して新たな凝集剤８を入れたり、第１の槽部５１または第２の槽部５２を掃除したりしてもよい。
【００２６】
以上より、本実施形態における排水アダプタ１０によれば、案内部１１および蓋部１２を備えることから、排水口Ｅから第１の槽部５１に排水を流出させて第１の槽部５１内の水位が上昇しようとしても、蓋部１２が籠部６を蓋しているため、排水の逆流を防止することができる。そのため、周囲の清潔な状態を維持することができ迅速かつ容易に清掃することができる。
また、案内部１１がＬ字孔部１６を備え、蓋部１２が案内部１１の先端部に設けられて板状に形成されていることから、排水口からの排水を下方に案内し、蓋部１２を迅速かつ容易に設置し取り外すことができる。
また、本体案内部１４の縁部が取付縁部２３に揃えられていることから、取付縁部２３における抑えを補強することができ、取付縁部２３からの排水の逆流を防止することができる。
【００２７】
また、対向縁部２４に補強縁部２１が設けられていることから、籠部６への抑えを補強することができ、対向縁部２４からの排水の逆流を防止することができる。
また、補強縁部２１が抑え位置Ａと非抑え位置Ｂとの間で移動可能に設けられていることから、取り付けや取り外しの作業のときに、補強縁部２１を非抑え位置Ｂに配することができ、それら作業を迅速かつ容易に行うことができる。
また、補強縁部２１が抑え位置Ａと非抑え位置Ｂとの間で開閉可能に設けられていることから、補強縁部２１の移動を容易にすることができ、取り付けや取り外しの作業を迅速かつ容易に行うことができる。
また、補強縁部２１に固定部１３が設けられていることから、対向縁部２４からの逆流しようとする負荷に対する耐力を補強することができ、対向縁部２４からの排水の逆流を防止することができる。
【００２８】
また、補強縁部２１の長手寸法が、蓋部１２の長手寸法よりも短くなっており、補強縁部２１が蓋部１２の長手方向Ｗの中央部に設けられていることから、補強縁部２１の移動動作を容易にすることができ、利便性を向上させることができる。
また、蓋部１２の長手方向Ｗが延在方向Ｆに直交する方向に向けられていることから、排水アダプタ１０を設置したときに、蓋部１２が排水方向に直交する方向に向けられることから、長手方向Ｗが排水方向に向けられるときよりも、排水口Ｅに対する対向縁部２４の距離を近づけることができる。そのため、蓋部１２が弾性変形しようとする力に対する負荷を強くすることができ、排水の逆流を防止することができる。
また、切欠部２６が設けられていることから、把持部６４を上方に貫通させることにより、蓋部１２を籠部６の上方に容易に設置することができるだけでなく、本体板部２０を動かしたときに籠部６もその動きに追随させることができ、籠部６に容易に蓋をすることができる。さらに、切欠部２６により、軽量化を図り操作性を向上させることができる。
【００２９】
また、本実施形態におけるグリストラップ１によれば、排水アダプタ１０と槽部５と籠部６とを備えることから、前述と同様の効果を奏することができるだけでなく、排水口Ｅからの排水を浄化して外方に排出することができる。
また、本実施形態におけるグリストラップ１における油吸着材７によれば、籠部６の内方に設けられることにより、案内部１１から案内される排水の油を効果的に吸着することができる。なお、油吸着材７は、植物系・木質系からなる本体吸着材を備えることから、排水口Ｅから案内部１１を介して吹きかけられる排水を通しやすくすることができ、排水の逆流を防止することができる。
また、本実施形態におけるグリストラップ１における凝集剤８によれば、槽部５に設けられることにより、粉末を効果的に凝集し排水に浮かせることができる。
【００３０】
また、本実施形態における排水浄化方法によれば、排水アダプタ１０からの排水を、籠部６に設けられた油吸着材７に向けて下方に案内して油吸着材７に通し、さらに籠部６に通して濾過することから、効果的に排水を浄化することにより、清潔な状態を維持することができ迅速かつ容易に清掃することができる。
また、本実施形態におけるグリストラップ１の清掃方法によれば、排水アダプタ１０を取り外す取り外し工程と、異物を除去する除去工程と、排水アダプタ１０を設置する設置工程とを含むことから、周囲を清潔な状態に維持することができ迅速かつ容易に清掃することができる。
【００３１】
なお、本発明の技術範囲は上記の実施形態に限定されるものではなく、本発明の趣旨を逸脱しない範囲において、種々の変更を加えることが可能である。
例えば、案内部１１が直方体形状の本体案内部１４を備えるとしているが、これに限ることはなく、その構成は適宜変更可能である。例えば、本体案内部１４が、種々の形状であってもよいし、パイプであってもよい。パイプの場合パイプの孔部がＬ字孔部１６となる。また、パイプがＬ字状でなくてもよい。さらに、案内部１１が設けられていなくてもよい。その場合、蓋部１２の貫通孔２５を通して、排水口Ｅからの排水を槽部５１の下方へと流通させてもよい。
また、Ｌ字孔部１６が形成されているとしているが、これに限ることはなく、その構成は適宜変更可能である。
また、本体案内部１４の縁部が、取付縁部２３に揃えられているとしているが、これに限ることはなく、本体案内部１４の縁部と取付縁部２３とがズレていてもよい。
【００３２】
また、本体案内部１４に取付部１５が設けられているとしているが、取付部１５は本体案内部１４に一体に設けられていてもよいし、別個の部材として取り付けられるようになっていてもよい。
また、案内部１１、蓋部１２および固定部１３がステンレスからなるとしているが、これに限ることはなく、その材料は適宜変更可能である。例えば、案内部１１、蓋部１２または固定部１３の少なくともいずれか１つが他の金属や樹脂などからなっていてもよい。
また、対向縁部２４に補強縁部２１が設けられているとしているが、これに限ることはなく、本体板部２０の短辺部などいずれの縁部に設けられていてもよい。また補強縁部２１が設けられていなくてもよい。
また、補強縁部２１が、抑え位置Ａと非抑え位置Ｂとの間で移動可能に設けられているとしているが、これに限ることはなく、その構成は適宜変更可能である。例えば、抑え位置Ａにおいて移動可能であってもよいし、抑え位置Ａに固定されていてもよい。
また、補強縁部２１が開閉可能に設けられているとしているが、これに限ることはなく、その構成は適宜変更可能である。例えば、着脱可能に設けられてもよいし、スライド移動可能に設けられてもよい。
【００３３】
また、固定部１３が設けられるとしているが、これに限ることはなく、その構成は適宜変更可能である。例えば、取手形状に代えて棒状にしてもよいし、取手部３１が設けられていなくてもよい。また、固定部１３が、補強縁部２１とフランジ縁部６３を挟む挟持部であってもよいし、錘などであってもよい。また、固定部１３が、磁石に代えて、接着剤などにより固定されていてもよいし、補強縁部２１に一体に設けられていてもよい。さらに、固定部１３が設けられていなくてもよい。
また、補強縁部２１の長さ寸法が、本体板部２０の長さ寸法より短くされているとしているが、これに限ることはなく、その構成は適宜変更可能である。例えば、補強縁部２１の長さ寸法が、本体板部２０の長さ寸法と同一になっていてもよいし、本体板部２０の長さ寸法よりも長くなっていてもよい。
また、補強縁部２１が本体板部２０の長手方向Ｗの中央部に寄せられているとしているが、これに限ることはなく、その構成は適宜変更可能である。例えば、長手方向Ｗのいずれか一端部に寄せられていてもよい。
【００３４】
また、蓋部１２の長手方向Ｗが、上面視して案内部１１の延在方向Ｆに直交する方向に向けられているとしているが、これに限ることはなく、その構成は適宜変更可能である。例えば、上面視して長手方向Ｗが延在方向Ｆに交差する方向に向けられていてもよいし、延在方向Ｆに向けられていてもよい。
また、蓋部１２が矩形板状に形成されているとしているが、これに限ることはなく、その構成は適宜変更可能である。例えば、円形、楕円形、多角形やその他の形状であってもよい。
また、本体板部２０の中央部に円形の貫通孔２５が形成されているとしているが、これに限ることはなく、その構成は適宜変更可能である。例えば、貫通孔２５が多角形やその他の形状であってもよいし、本体板部２０の長手方向Ｗまたは短手方向Ｄの一端側に寄せられていてもよい。
【００３５】
また、籠部６がバスケット部６１およびネット部６２を備えるとしているが、これに限ることはなく、バスケット部６１またはネット部６２の少なくともいずれか一方が設けられていなくてもよい。
また、油吸着材７が設けられているとしているが、これに限ることはなく、その構成は適宜変更可能である。例えば、油吸着袋体が非水溶性の素材であってもよいし、本体吸着材が樹脂や化学繊維などであってもよい。また、油吸着材７が籠部６の外に設けられていてもよいし、油吸着材７自体が設けられていなくてもよい。
また、凝集剤８が設けられているとしているが、これに限ることはなく、その構成は適宜変更可能である。例えば、凝集剤８が第１の槽部５１から第２の槽部５２にわたって撒かれていてもよいし、第２の槽部５２に撒かれていてもよい。また、凝集剤８が設けられていなくてもよい。
また、槽部５が、第１の槽部５１および第２の槽部５２を備えるとしているが、これに限ることはなく、その構成は適宜変更可能である。例えば、第１の槽部５１のみであってもよいし、３槽以上が設けられていてもよい。
また、グリストラップ１の製造方法も適宜変更可能である。
【００３６】
また、切欠部２６が設けられているとしているが、これに限ることはなく、その構成は適宜変更可能である。例えば、切欠部２６が短手方向Ｄの少なくともいずれか一端が切り欠かれて開放端とされていてもよいし、切欠部２６が設けられていなくてもよい。
また、本体板部２０に、籠部６との抑えを補強する補強部材が設けられていてもよい。例えば、本体板部２０の裏面の四隅に磁石が設けられ、これら磁石の磁力により本体板部２０が籠部６に接着していてもよい。
また、本体板部２０の縁部２２に、フランジ縁部６３を内方に配して折り返すような折り返し部が設けられていてもよい。これにより、排水アダプタ１０を籠部６に取り付けることができ操作性を向上させることができる。
【００３７】
既述の実施形態に関し、さらに以下の付記を示す。
（付記１）
グリストラップに排水を流す排水口に取り付けられる排水アダプタであって、
前記排水口に取り付けられ前記排水口から前記排水を下方に案内する案内部と、
前記案内部に取り付けられ前記グリストラップに設けられた籠部に蓋をする蓋部と
を備える排水アダプタ。
【００３８】
（付記２）
前記案内部は、側方から下方に向けてＬ字状に形成されたＬ字孔部を備え、
前記蓋部が前記案内部の先端部に設けられて板状に形成されている付記１に記載の排水アダプタ。
【００３９】
（付記３）
前記案内部は、前記排水口に取り付けられる取付部と、側方から下方に向けてＬ字状に形成されたＬ字孔部が形成された本体案内部とを備え、
前記本体案内部の縁部は、前記蓋部の縁部のうち前記取付部が配された側の取付縁部に揃えられている付記１または付記２に記載の排水アダプタ。
【００４０】
（付記４）
前記案内部が前記排水口に取り付けられる取付部を備え、
前記蓋部の縁部のうち前記取付部が配された側の取付縁部に対向する対向縁部に、前記籠部の抑えを補強する補強縁部が設けられている付記１から付記３のいずれか一項に記載の排水アダプタ。
【００４１】
（付記５）
前記補強縁部が、前記籠部を抑える抑え位置と非抑え位置との間で移動可能に設けられている付記４に記載の排水アダプタ。
【００４２】
（付記６）
前記補強縁部が、前記籠部を抑える抑え位置と非抑え位置との間で開閉可能に設けられている付記４または付記５に記載の排水アダプタ。
【００４３】
（付記７）
前記補強縁部を前記籠部に固定する固定部を備える付記４から付記６のいずれか一項に記載の排水アダプタ。
【００４４】
（付記８）
前記補強縁部の長さ寸法が前記蓋部の長さ寸法より短くされており、前記蓋部の長さの中央部に前記補強縁部が設けられている付記４から付記７のいずれか一項に記載の排水アダプタ。
【００４５】
（付記９）
前記蓋部は、矩形状に形成されており前記蓋部の長手方向が前記案内部の延在方向に対して交差する方向に向けられて前記案内部に設けられている付記１から付記８のいずれか一項に記載の排水アダプタ。
【００４６】
（付記１０）
付記１から付記９のいずれか一項に記載の排水アダプタと、
前記排水を貯留する槽部と、
前記槽部の内方に設けられ前記排水アダプタから排出される排水を濾過する籠部と
を備えるグリストラップ。
【００４７】
（付記１１）
付記１０に記載のグリストラップにおける籠部の内方に設けられて前記排水から油を吸着する油吸着材。
【００４８】
（付記１２）
付記１０に記載のグリストラップにおける槽部に設けられて前記排水から異物を凝集する凝集剤。
【００４９】
（付記１３）
付記１０に記載のグリストラップにおける排水アダプタにより前記排出口から排出される排水を、前記籠部に設けられた油吸着材に向けて下方に案内して前記油吸着材に通し、さらに前記籠部に通して濾過することにより浄化する排水浄化方法。
【００５０】
（付記１４）
付記１０に記載のグリストラップを清掃するためのグリストラップの清掃方法であって、
前記排水口および前記槽部に設置された前記排水アダプタの案内部を前記排水口から外し前記蓋部を前記籠部から外して前記排水アダプタを取り外す取り外し工程と、
前記取り外し工程において前記排水アダプタが取り外された状態で前記籠部の異物を除去する除去工程と、
前記除去工程において前記異物が除去された状態で前記案内部を前記排水口に取り付け前記蓋部によって前記槽部に蓋をして前記排水アダプタを設置する設置工程と
を含むグリストラップの清掃方法。
【符号の説明】
【００５１】
１    グリストラップ
５    槽部
６    籠部
７    油吸着材
８    凝集剤
１０  排水アダプタ
１１  案内部
１２  蓋部
１３  固定部
１４  本体案内部
１５  取付部
１６  Ｌ字孔部
２１  補強縁部
２２  縁部
２３  取付縁部
２４  対向縁部
Ａ    抑え位置
Ｂ    非抑え位置
Ｄ    長手方向
Ｅ    排水口
Ｆ    延在方向
Ｌ１，Ｌ２  長手寸法
【要約】
【課題】清潔な状態を維持することができ迅速かつ容易に清掃することができる排水アダプタ、グリストラップ、油吸着材、凝集剤、排水浄化方法およびグリストラップの清掃方法を提供すること。
【解決手段】グリストラップ１に排水を流す排水口Ｅに取り付けられる排水アダプタ１０であって、前記排水口Ｅに取り付けられ前記排水口Ｅから前記排水を下方に案内する案内部１１と、前記案内部１１に取り付けられ前記グリストラップ１に設けられた籠部６に蓋をする蓋部１２とを備えることを特徴とする。
【選択図】図１【図１】
0006914494.tif 000002
【図２】
0006914494.tif 000003
【図３】
0006914494.tif 000004
【図４】
0006914494.tif 000005